(57)【要約】【課題】  複数の機能ブロックを有するメディアサーバ装置のサーバ機能を稼動させるためには、装置全体へ電源を供給する必要があるためサーバ機能として不要な機能ブロックも稼動するので、消費電力を減少することは困難であった。【解決手段】  サーバ部電源供給部１２０はサーバ機能ブロックへ電源を供給し、テレビ部電源供給部１２１はテレビ機能ブロックへ電源を供給し、サーバ部電源供給部１２０やテレビ部電源供給部１２１は、電源制御手段１３２ｅから出力される信号によって、各々独立して供給するように制御される。サーバ部電源供給部１２０からの電源出力が「ＯＮ」に、テレビ部電源供給部１２１からの電源出力が「ＯＦＦ」に制御されている状態は、サーバ機能部１５０は電源供給されているので動作し、テレビ機能ブロックは電源供給されていないので動作しない。【選択図】      図１
2010087920.tif 000002
【特許請求の範囲】
【請求項１】
映像コンテンツを扱うための複数の機能ブロックを有するメディアサーバ装置において、
ネットワークに接続されたクライアント装置からの要求に応じて、映像コンテンツデータを送信するメディアサーバの機能を実行する第１の機能ブロックと、
前記複数の機能のうちでメディアサーバ機能とは異なる機能を実行する第２の機能ブロックと、
前記第１の機能ブロックと前記第２の機能ブロックそれぞれに電源を供給する電源供給手段と、
前記第１の機能ブロックと前記第２の機能ブロックそれぞれに供給される電源を各々独立して供給するように制御し、前記第１の機能ブロックに供給される第１の電源を稼動させて前記第２の機能ブロックに供給される第２の電源は停止するように制御する電源制御手段と、
を備えることを特徴とするメディアサーバ装置。
【請求項２】
ネットワーク上での前記クライアント装置の接続状態を確認するクライアント確認手段を具備し、
前記電源制御手段は、前記クライアント確認手段によって前記クライアント装置の接続が確認される場合は、前記第１の機能ブロックへの電源の供給を継続するように制御して、前記クライアント装置の接続が確認されない場合は、前記第１の機能ブロックへの電源の供給を停止するように制御する、
ことを特徴とする請求項１記載のメディアサーバ装置。
【請求項３】
前記第１の機能ブロックは、
前記映像コンテンツデータを保存するデータ保存手段と、
前記データ保存部とのデータのやりとりを制御するデータ保存部制御手段と、
前記映像コンテンツデータを装置外部のネットワークに出力するためのネットワーク接続手段と、
前記ネットワーク接続部を介して前記ネットワークに接続された外部の装置との通信を制御するネットワーク制御手段と、
前記ネットワーク上での前記クライアント装置の接続状態を確認するクライアント確認手段と、
を少なくとも備えることを特徴とする請求項１記載のメディアサーバ装置。
【請求項４】
前記第２の機能ブロックは、
テレビ放送を選局して放送信号を抽出するチューナと、
前記チューナで選局された放送信号をデータ処理して出力する信号処理手段と、
前記信号処理部で処理されて出力された音声データを出力するスピーカと、
前記信号処理部で処理されて出力された映像データを表示する映像表示手段と、
を少なくとも備えることを特徴とする請求項１記載のメディアサーバ装置。
【請求項５】
電源供給の開始または停止を行う所定時刻を予約し管理する予約管理手段を具備し、
前記電源制御手段は、前記予約管理手段で管理される時刻情報に基づいて前記第１の機能ブロックへの電源の供給を開始または停止するように制御される形態を含む請求項２記載のメディアサーバ装置。
【請求項６】
前記時刻情報、またはユーザ操作に応じて出力される電源供給を開始する信号に応じて前記第１の機能ブロックへの電源の供給を開始したとき、前記クライアント確認手段による確認が行われる形態を含む請求項５記載のメディアサーバ装置。
【請求項７】
前記時刻情報、またはユーザ操作に応じて出力される電源供給を停止する信号に反応することなく、前記第１の機能ブロックへの電源の供給を継続し、前記クライアント確認手段による確認が行われる形態を含む請求項５記載のメディアサーバ装置。
【請求項８】
前記時刻情報、またはユーザ操作に応じて出力される電源供給を停止する信号に反応して、前記第１の機能ブロックへの電源の供給を停止し、所定時間が経過したとき、前記第１の機能ブロックへの電源の供給を開始して、前記クライアント確認手段による確認が行われる形態を含む請求項５記載のメディアサーバ装置。
【請求項９】
前記クライアント確認手段によって前記クライアント装置の接続が確認される場合は、前記第１の機能ブロックへの電源の供給を継続し、所定時間が経過したとき、再度前記クライアント装置の確認が行われる形態を含む請求項２記載のメディアサーバ装置。
【請求項１０】
前記クライアント確認手段によって前記クライアント装置の接続が確認されない場合は、前記第１の機能ブロックへの電源の供給を停止し、所定時間が経過したとき、前記第１の機能ブロックへの電源の供給を開始して、前記クライアント装置の確認が行われる形態を含む請求項２記載のメディアサーバ装置。
【請求項１１】
映像コンテンツを扱うために複数の機能ブロックを有するメディアサーバ装置の電源制御方法において、
ネットワークに接続されたクライアント装置からの要求に応じて、映像コンテンツデータを送信するメディアサーバの機能を実行する第１の機能ブロックと、前記複数の機能のうちでメディアサーバ機能とは異なる機能を実行する第２の機能ブロックそれぞれに電源を供給し、
前記第１の機能ブロックと前記第２の機能ブロックそれぞれに供給される電源を各々独立して供給するように制御し、前記第１の機能ブロックに供給される第１の電源は稼動して前記第２の機能ブロックに供給される第２の電源は停止するように制御する、
ことを特徴とするメディアサーバ装置の電源制御方法。
【請求項１２】
前記メディアサーバの電源制御方法は、ネットワーク上での前記クライアント装置の接続状態を確認した結果、クライアント装置の接続が確認された場合は、前記第１の機能ブロックへの電源の供給を継続し、クライアント装置の接続が確認されない場合は、前記第１の機能ブロックへの電源の供給を停止する、ことを特徴とする請求項１１記載のメディアサーバ装置の電源制御方法。
【発明の詳細な説明】
【技術分野】
【０００１】
本発明は、ネットワークに接続されたクライアント装置からの要求に応じて、映像コンテンツデータを送信するメディアサーバの機能を実行する第１の機能ブロックおよびメディアサーバ機能とは異なる機能を実行する第２の機能ブロックを備える、メディアサーバ装置およびメディアサーバ装置の電源制御方法に関する。
【背景技術】
【０００２】
ネットワークに接続されたクライアント装置からの要求に応じて、映像コンテンツデータを送信するメディアサーバ機能と、例えば、テレビ放送やネットワークから配信される映像コンテンツを、ＨＤＤ（Hard  Disc  Drive；ハードディスクドライブ；以下ＨＤＤと称する）などの記録装置に録画するＨＤＤレコーダ機能それぞれを、実行する機能ブロックを装置内に備えたメディアサーバ装置が近年増えてきている。さらには、前述したＨＤＤレコーダの機能を備えたテレビジョン受像機などもあり、メディアサーバ機能＋ＨＤＤレコーダ機能＋テレビジョン受像機能といった、複数の機能ブロックを備えたメディアサーバ装置は、今後ますます増えることが考えられる。
【０００３】
ところで、メディアサーバ装置から送信された映像コンテンツをクライアント装置で再生するためには、当然ながらメディアサーバ装置を稼動させる必要があり、ユーザはクライント装置の電源制御スイッチとメディアサーバ装置の電源制御スイッチにより、両方の装置を起動させる必要があった。しかし、この操作はどちらか一方の電源制御スイッチだけで、自動的に両方の装置を起動させる手法もある。
【０００４】
例えば、特許文献１によれば、ＨＤＭＩ（登録商標）規格に基づいたインターフェースにより、装置外部に接続された異なる装置の電源を自動的に立ち上げる手法が公開されている。
【特許文献１】特開２００８−９２０８６号公報  （図１  段落００１９）
【発明の開示】
【発明が解決しようとする課題】
【０００５】
ところが従来は、外部に接続された装置の電源を立ち上げて、その外部装置とのデータの送受信が可能な状態にする場合には、その外部装置全体の機能ブロックを稼動させる必要があり、例えばその外部装置が、前述した複数の機能ブロックを備えたメディアサーバ装置であった場合、そのメディアサーバ装置を稼動させるためには、そのメディアサーバ装置全体へ電源を供給する必要があるため、例えばそのメディアサーバ装置がテレビジョン受像機能の機能ブロックを備えている場合には、ＬＣＤ（Liquid  Crystal  Display；液晶ディスプレイ）やＰＤＰ（Plasma  Display  Panel；プラズマディスプレイパネル）などの映像表示器にも電源が供給されて、メディアサーバ機能として不要な機能ブロックを稼動させてしまい、消費電力を減少することは困難であった。
【０００６】
そこで、本発明は上述した課題を解決するために、クライアント装置からメディアサーバ装置に、コンテンツデータの送信を要求されたときの応答性を保ちつつ、メディアサーバ機能ブロックには電源供給してメディアサーバ機能以外の機能ブロックには電源供給しない電源制御を行う、メディアサーバ装置およびメディアサーバ装置の電源制御方法を提供する。
【課題を解決するための手段】
【０００７】
本発明は上述した課題を解決するため、映像コンテンツを扱うための複数の機能ブロックを有するメディアサーバ装置において、ネットワークに接続されたクライアント装置からの要求に応じて、映像コンテンツデータを送信するメディアサーバの機能を実行する第１の機能ブロックと、前記複数の機能のうちでメディアサーバ機能とは異なる機能を実行する第２の機能ブロックと、前記第１の機能ブロックと前記第２の機能ブロックそれぞれに電源を供給する電源供給手段と、前記第１の機能ブロックと前記第２の機能ブロックそれぞれに供給される電源を各々独立して供給するように制御し、前記第１の機能ブロックに供給される第１の電源を稼動させて前記第２の機能ブロックに供給される第２の電源は停止するように制御する電源制御手段と、を備えることを特徴とするものである。また本発明は上述した課題を解決するため、ネットワーク上での前記クライアント装置の接続状態を確認するクライアント確認手段を具備し、前記電源制御手段は、前記クライアント確認手段によって前記クライアント装置の接続が確認される場合は、前記第１の機能ブロックへの電源の供給を継続するように制御して、前記クライアント装置の接続が確認されない場合は、前記第１の機能ブロックへの電源の供給を停止するように制御する、ことを特徴とするものである。
【０００８】
また本発明は上述した課題を解決するため、前記第１の機能ブロックは、前記映像コンテンツデータを保存するデータ保存手段と、前記データ保存部とのデータのやりとりを制御するデータ保存部制御手段と、前記映像コンテンツデータを装置外部のネットワークに出力するためのネットワーク接続手段と、前記ネットワーク接続部を介して前記ネットワークに接続された外部の装置との通信を制御するネットワーク制御手段と、前記ネットワーク上での前記クライアント装置の接続状態を確認するクライアント確認手段と、を少なくとも備えることを特徴とするものである。
【０００９】
また本発明は上述した課題を解決するため、前記第２の機能ブロックは、テレビ放送を選局して放送信号を抽出するチューナと、前記チューナで選局された放送信号をデータ処理して出力する信号処理手段と、前記信号処理部で処理されて出力された音声データを出力するスピーカと、前記信号処理部で処理されて出力された映像データを表示する映像表示手段と、を少なくとも備えることを特徴とするものである。
【００１０】
また本発明は上述した課題を解決するため、電源供給の開始または停止を行う所定時刻を予約し管理する予約管理手段を具備し、前記電源制御手段は、前記予約管理手段で管理される時刻情報に基づいて前記第１の機能ブロックへの電源の供給を開始または停止するように制御されることを特徴とするものである。
【００１１】
また本発明は上述した課題を解決するため、前記時刻情報、またはユーザ操作に応じて出力される電源供給を開始する信号に応じて前記第１の機能ブロックへの電源の供給を開始したとき、前記クライアント確認手段による確認が行われることを特徴とするものである。
【００１２】
また本発明は上述した課題を解決するため、前記時刻情報、またはユーザ操作に応じて出力される電源供給を停止する信号に反応することなく、前記第１の機能ブロックへの電源の供給を継続し、前記クライアント確認手段による確認が行われること、もしくは、前記時刻情報、またはユーザ操作に応じて出力される電源供給を停止する信号に反応して、前記第１の機能ブロックへの電源の供給を停止し、所定時間が経過したとき、前記第１の機能ブロックへの電源の供給を開始して、前記クライアント確認手段による確認が行われることを特徴とするものである。
【００１３】
また本発明は上述した課題を解決するため、前記クライアント確認手段によって前記クライアント装置の接続が確認される場合は、前記第１の機能ブロックへの電源の供給を継続し、所定時間が経過したとき、再度前記クライアント装置の確認が行われることを特徴とするものである。
【００１４】
また本発明は上述した課題を解決するため、前記クライアント確認手段によって前記クライアント装置の接続が確認されない場合は、前記第１の機能ブロックへの電源の供給を停止し、所定時間が経過したとき、前記第１の機能ブロックへの電源の供給を開始して、前記クライアント装置の確認が行われることを特徴とするものである。
【発明の効果】
【００１５】
本発明によれば、メディアサーバ機能ブロックには電源供給してメディアサーバ機能以外の機能ブロックには電源供給しない電源制御を行うので、複数の機能を備えたメディアサーバ装置の消費電力を減少することができる。
【発明を実施するための最良の形態】
【００１６】
以下、本発明における実施形態について図面を用いて説明する。
（第１の実施形態）
まず、本実施形態に係わるメディアサーバ装置としての機能を有するテレビ受像機であるデジタルテレビにおける、本発明の特徴であるメディアサーバ装置へ供給する電源制御処理の第１の実施形態として、図１、図２、図３、図４を用いて説明する。
【００１７】
なお、メディアサーバ装置としての機能を有する装置の例としては、本実施形態では、テレビ受像機であるデジタルテレビについて説明をするが、ＤＶＤレコーダや、コンピュータ装置等であってもよい。
【００１８】
図１は、本実施形態によるメディアサーバ装置としての機能を有するテレビ受像機であるデジタルテレビの主要な構成要素を示す構成図であり、その動作について以下に説明をする。
【００１９】
デジタルテレビ１０は、テレビ放送やネットワークから配信される映像コンテンツを選択して視聴するテレビ機能と、テレビ放送などの映像コンテンツをＨＤＤなどの記録装置に録画するレコーダ機能を有していて、さらには、その記録装置の中から、ネットワークを介して接続された外部装置から要求された映像コンテンツのデータを選択して送信するサーバ機能も有している。これらの機能の詳細な説明は後述する。
【００２０】
初めに電源を制御する機能の詳細な説明をする。
電源部１２２を介して、装置外部の図示していない宅内コンセントなどから供給された電源は、本発明の特徴である、サーバ部電源供給部１２０とテレビ部電源供給部１２１それぞれに接続される。
【００２１】
サーバ部電源供給部１２０は、前述したサーバ機能を実行する機能部へ電源を供給し、テレビ部電源供給部１２１は、前述したテレビ機能を実行する機能部へ電源を供給し、サーバ部電源供給部１２０からの電源出力とテレビ部電源供給部１２１からの電源出力とは、電源制御手段１３２ｅから出力される信号によって制御される。
【００２２】
ＳＷ＿Ｓ１２３やＳＷ＿Ｔ１２４は、サーバ部電源供給部１２０やテレビ部電源供給部１２１から出力されて装置の各部へ供給される電源を、ユーザが制御できるために装置外部に備えられたスイッチであり、また、そのスイッチの状態に応じた信号を電源制御手段１３２ｅへ出力する。
【００２３】
つまり、デジタルテレビ１０のユーザは、ＳＷ＿Ｓ１２３やＳＷ＿Ｔ１２４などを操作することで、電源制御手段１３２ｅを介して、装置のサーバ部やテレビ部へ供給される電源を制御して、各部の状態を遷移することができる。
【００２４】
また、予約管理手段１３２ｆは、電源供給の開始または停止を行う時刻を予約し管理する手段であり、ユーザにより予約を設定された時刻を記憶し、設定時刻となったとき、その時刻情報に基づいて電源制御手段１３２ｅが、サーバ部電源供給部１２０からの電源出力またはテレビ部電源供給部１２１からの電源出力を制御する。
【００２５】
さらにタイマ１３２ｄは、時間計測を行い、特定の時間を計測したときに、電源制御手段１３２ｅへ信号を出力する。
従って、サーバ部電源供給部１２０やテレビ部電源供給部１２１は、ＳＷ＿Ｓ１２３やＳＷ＿Ｔ１２４からの信号に応じて電源制御手段１３２ｅから出力される信号や、予約管理手段１３２ｆまたはタイマ手段１３２ｄなどが管理する時間情報に基づいて電源制御手段１３２ｅから出力される信号によって制御される。なお電源制御に応じた各部の状態遷移に関しての詳細な説明は後述する。
【００２６】
次にテレビ機能とレコーダ機能の詳細を説明する。
デジタルテレビ１０のユーザは、操作部１２６やリモコンＲＣによる操作によって、所望の放送チャンネルや信号源の選択を行い視聴することができる。
選択された放送チャンネルや信号源の情報は、操作部１２６からの信号や、リモコンＲＣからの信号を受光部１２５で受光した信号として、データ制御バス１３１を介して制御部１３２へ出力される。そして、その情報に応じて放送波の選局や信号源の選択の処理が行われることで、ユーザ所望の放送チャンネルや信号源が選択されて信号処理され、映像や音声が表示，出力される。
【００２７】
すなわちデジタルチューナ部１０１は、アンテナＡＴｄで受信されたデジタル放送信号を供給されて、制御部１３２によって設定された所望のチャンネルの放送信号を選局して復調・復号部１０２へ出力する。そして復調・復号部１０２はデジタルチューナ部１０１で選局された放送信号に対して、放送波種別ごとに必要となる復調や復号の処理を行い、信号処理部１０８へ出力する。
【００２８】
またアナログチューナ部１０３は、アンテナＡＴａで受信されたアナログ放送信号を供給されて、制御部１３２によって設定された所望のチャンネルの放送信号を選局して復調部１０４へ出力する。そして復調部１０４は、アナログチューナ部１０３で選局された放送信号に対して復調処理を行いセレクタ１０６へ出力する。
【００２９】
さらに、Ａ／Ｖ入力部１０５から入力される外部装置からのアナログ映像音声信号と、復調部１０４から出力される映像音声信号は、セレクタ１０６に入力され、制御部１３２からの制御信号によりどちらかが選択されてＡＤＣ部１０７へ出力される。そしてＡＤＣ部１０７は、入力された信号をＡ／Ｄ変換して信号処理部１０８へ出力する。
【００３０】
なおデジタルチューナ部１０１やアナログチューナ部１０３またはＡ／Ｖ入力部１０５は、複数備えている形態であってもよい。
また通信Ｉ／Ｆ部１３０はＬＡＮなどのネットワーク接続部であり、ネットワーク制御手段１３２ｂによってネットワーク接続を制御しながら、図示していないネットワークに接続されたコンテンツサーバー装置などから配信される放送番組や映画などの映像コンテンツを取得することが可能である。
【００３１】
またＨＤＭＩＩ／Ｆ部１２９はＨＤＭＩ規格に基づいた外部装置接続部であり、ＤＶＤレコーダ等の外部装置に接続して、それらの装置からの映像を取得することが可能である。
【００３２】
またｉ．ＬＩＮＫＩ／Ｆ部１２８はｉ．ＬＩＮＫ規格に基づいた外部装置接続部であり、ＤＶ端子を介して、Ｄ−ＶＨＳ方式のビデオデッキやＤＶＤレコーダ等の外部装置から、データ制御バス１３１を通して映像コンテンツデータをやりとりすることが可能である。
【００３３】
またカードＩ／Ｆ部１１９は、デジタル放送受信のための、図示していないＢ−ＣＡＳカードを接続するためのものや、記録装置である図示していないメモリカードを接続するためのものなどを備えていて、メモリカードを接続した場合には、データ制御バス１３１を通して映像コンテンツデータをやりとりすることが可能である。
【００３４】
またＵＳＢＩ／Ｆ部１２７はＵＳＢ規格に基づいた外部装置接続部であり、ＵＳＢ端子を介して、図示していないデジタルカメラのデータ記録装置やメモリカードなどの記録装置などに接続して、それらに記録されている写真画像を表示することが可能である。またキーボードを接続して、外部入力装置として利用することも可能である。
【００３５】
さらにネットワークＩ／Ｆ部１１８は通信Ｉ／Ｆ部１３０と同じくＬＡＮなどのネットワーク接続部であり、ネットワーク制御手段１３２ｂによってネットワーク接続を制御しながら、データ処理部１１７によってネットワーク接続でやりとり可能なフォーマットにデータが処理される。そしてインターネットに接続して、デジタル放送で双方向サービスを使用したり、Ｅメールによる番組録画予約を行ったり、インターネットを介して配信される放送番組や映画などの映像コンテンツを取得したりすることが可能であり、また家庭内ＬＡＮに接続して、ＬＡＮに接続された装置と映像コンテンツデータなどのやりとりが可能である。
【００３６】
したがってユーザは、操作部１２６やリモコンＲＣによる操作によって、前述した各部から取得される映像コンテンツを選択したり、各部に接続された装置を信号源として選択したりすることも可能である。
【００３７】
ところで信号処理部１０８は、制御部１３２によって制御されて、前述したＡＤＣ部１０７から入力された信号に対してＭＰＥＧ符号化演算処理などを行ったり、前述した復調・復号部１０２やデータ制御バス１３１を介して映像コンテンツデータを取得可能な各部などから入力された信号に対してＭＰＥＧ復号化演算処理を行ったりして、映像処理部１１０や音声処理部１１２へ信号を出力する。
【００３８】
またＯＳＤ信号生成部１０９は、制御部１３２によって制御されて、信号処理部１０８から出力された映像信号と併せて映像処理部１１０へＯＳＤ信号を出力する。
さらに信号処理部１０８でデータを保存するためのフォーマットに処理された信号は、記録装置または記録媒体に記録するために最適な転送処理がデータ転送制御部１１４によってなされて、ＨＤＤ制御手段１３２ａによって、デジタルテレビ１０に備えられたＨＤＤ１１５や、外部ＨＤＤＩ／Ｆ部１１６を介してデジタルテレビ１０の外部に接続された図示していないＨＤＤなどを制御されながら、保存される。
【００３９】
なお、外部ＨＤＤＩ／Ｆ部１１６は、ＵＳＢ規格に基づいた外部装置接続部やＬＡＮなどのネットワーク接続部など備え、それらの接続部を介して、デジタルテレビ１０の外部のＨＤＤと接続される。
【００４０】
また、記録装置として、ＨＤＤ１１５や外部ＨＤＤＩ／Ｆ部１１６に接続されたＨＤＤだけでなく、前述したカードＩ／Ｆ部１１９に接続されたメモリカードや、ネットワークＩ／Ｆ部１１８に接続されたＨＤＤなどを利用することも可能である。
【００４１】
すなわち前述した、テレビ放送などの映像コンテンツのデータをＨＤＤなどの記録装置へ保存する機能がレコーダ機能である。
さらに前述した信号処理部１０８から出力された音声信号は、制御部１３２の制御によって、音声出力部１１３である、デジタルテレビ１０に備えられたスピーカや、装置外部へ出力されるアナログ音声信号や光デジタル音声信号や、ヘッドフォン出力信号などに音声処理部１１２で変換されて出力される。
【００４２】
また前述した信号処理部１０８から出力された映像信号は、制御部１３２の制御によって、映像出力部１１１である、デジタルテレビ１０に備えられた液晶パネルやＰＤＰパネルなどの映像表示装置や、装置外部へ出力されるアナログ映像信号などに映像処理部１１０で変換されて出力される。
【００４３】
次にサーバ機能の詳細な説明をする。
ネットワーク制御手段１３２ｂによってネットワーク接続を制御しながら、ネットワークＩ／Ｆ部１１８を介してＬＡＮなどにより接続された外部の装置は、その外部の装置のＭＡＣアドレスや接続状況などがクライアント確認手段１３２ｃによって確認されて認識される。
【００４４】
そして外部に接続されて認識された装置から、レコーダ機能によって保存された映像コンテンツのデータの送信を要求された場合に、該当する映像コンテンツが保存されている記録装置を検索して特定し、ＨＤＤ制御手段１３２ａやネットワーク制御手段１３２ｂによって制御しながらデータを抽出し、また要求された装置をクライアント確認手段１３２ｃによって特定して送信する。
【００４５】
すなわち図１において、点線で囲まれた部分がサーバ機能部１５０となる。
図２は、以上で説明した図１のデジタルテレビ１０を、ネットワークを介して外部装置と接続した状態を示す構成図であり、その動作について以下に説明をする。
メディアサーバ２０１は、放送番組や映画または個人的に録画した映像コンテンツなどを保存するコンテンツ保存部２０１ａを備えている。コンテンツ保存部２０１ａは、前述した図１におけるＨＤＤ１１５や、外部ＨＤＤＩ／Ｆ部１１６に接続されたＨＤＤや、カードＩ／Ｆ部１１９に接続されたメモリカードや、ネットワークＩ／Ｆ部１１８に接続されたＨＤＤである。
【００４６】
つまりメディアサーバ２０１は、図１のデジタルテレビ１０の構成図の中で点線によって囲まれた部分であるサーバ機能部１５０を簡易的に示したものである。
またメディアサーバ２０１はネットワーク２２０に接続されていて、ネットワーク２２０は、前述した図１におけるネットワークＩ／Ｆ部１１８に接続されたインターネットや家庭内ＬＡＮなどのネットワークである。
【００４７】
さらにネットワーク２２０には、メディアプレーヤ２１１，２１２が接続されていて、それぞれには映像を表示するコンテンツ表示部２１１ａ，２１２ａが備えられている。これらのコンテンツ表示部２１１ａ，２１２ａは、各メディアプレーヤ２１１，２１２に備えられた液晶パネルやＰＤＰパネルなどの映像表示装置であっても、装置外部へ出力する映像信号出力部であってもよい。
【００４８】
つまりこれらの装置は、ネットワーク２２０を介して、それぞれがＵＰｎＰ（Universal  Plug  and  Play）技術に基づいて接続されていて、ＤＬＮＡ（登録商標）（Digital  Living  Network  Alliance）ガイドラインに従って相互に通信する。ＤＬＡＮガイドラインでは、映像コンテンツデータを保存してその中から要求されたコンテンツを提供するサーバ機能を有する装置をＤＭＳ（Digital  Media  Server；デジタルメディアサーバ；以下ＤＭＳと称する）と呼び、サーバに要求して提供された映像コンテンツデータを再生するクライアント機能を有する装置をＤＭＰ（Digital  Media  Player；デジタルメディアプレーヤ；以下ＤＭＰと称する）と呼び、これらＤＭＳとＤＭＰとの間で送受信されるデータのフォーマットや接続条件を定めている。
【００４９】
なお、ＤＭＳとしてはＤＶＤレコーダやコンピュータ装置やデジタルカメラなどであってもよく、ＤＭＰとしては、テレビ受像機や携帯電話や携帯情報端末などであってもよい。
【００５０】
従って、ＤＬＮＡガイドラインに準拠した装置同士を接続すれば、特別な設定なしに相互接続してコンテンツの共有が可能になる。
また、ネットワークを介してコンテンツを共有する技術としては、ＣＩＦＳ（Common  Internet  File  System）や、ＲＴＳＰ（  Real  Time  Streaming  Protocol）などを利用することも可能である。
【００５１】
すなわち本第１の実施形態においては、例えば、ＤＭＰであるメディアプレーヤ２１１が、ＤＭＳであるメディアサーバ２０１に保存されている映像コンテンツを要求したら、メディアサーバ２０１はコンテンツ保存部２０１ａから要求された映像コンテンツデータを検索して抽出し、ネットワークを介してメディアプレーヤ２１１へ送信する。そして、送信された映像コンテンツデータは、メディアプレーヤ２１１で受信され、必要なデータ処理がなされてコンテンツ表示部２１１ａに再生される、という処理が行われる。
【００５２】
図３は、前述した図１のデジタルテレビ１０に供給される電源が制御された際の装置の状態遷移図であり、以下に説明をする。
初めに、各状態の説明をする。
電源ＯＦＦ３０１の状態は、サーバ部電源供給部１２０からの電源出力とテレビ部電源供給部１２１からの電源出力の両方が「ＯＦＦ」に制御されている状態である。この状態では、図１で点線によって囲まれた部分であるサーバ機能部１５０も、それ以外の部分であるテレビ機能も、電源供給されていないので動作しない。
【００５３】
また待機３０２の状態は、サーバ部電源供給部１２０からの電源出力が「ＯＮ」に制御され、テレビ部電源供給部１２１からの電源出力が「ＯＦＦ」に制御されている状態である。この状態では、図１で点線によって囲まれた部分であるサーバ機能部１５０は電源供給されているので動作し、それ以外の部分であるテレビ機能は電源供給されていないので動作しない。
【００５４】
さらに電源ＯＮ３０３の状態は、サーバ部電源供給部１２０からの電源出力とテレビ部電源供給部１２１からの電源出力の両方が「ＯＮ」に制御されている状態である。この状態では、図１で点線によって囲まれた部分であるサーバ機能部１５０も、それ以外の部分であるテレビ機能も電源供給されているので動作する。
【００５５】
次に各状態を遷移する処理について説明をする。
サーバ部電源ＯＮ３１１の処理は、電源ＯＦＦ３０１の状態から、ＳＷ＿Ｓ１２３からの信号、または予約管理手段１３２ｆが管理する時間情報に基づいて電源制御手段１３２ｅから出力される信号によって、サーバ部電源供給部１２０からの電源出力が「ＯＦＦ」から「ＯＮ」に制御されて、待機３０２の状態に遷移する処理である。
【００５６】
また装置電源ＯＮ３１３の処理は、電源ＯＦＦ３０１の状態から、ＳＷ＿Ｔ１２４からの信号、または予約管理手段１３２ｆが管理する時間情報に基づいて電源制御手段１３２ｅから出力される信号によって、サーバ部電源供給部１２０からの電源出力とテレビ部電源供給部１２１からの電源出力の両方が「ＯＦＦ」から「ＯＮ」に制御されて、電源ＯＮ３０３の状態に遷移する処理である。
【００５７】
さらにテレビ部電源ＯＮ３１５の処理は、待機３０２の状態から、ＳＷ＿Ｔ１２４からの信号、または予約管理手段１３２ｆが管理する時間情報に基づいて電源制御手段１３２ｅから出力される信号によって、テレビ部電源供給部１２１からの電源出力が「ＯＦＦ」から「ＯＮ」に制御されて、電源ＯＮ３０３の状態に遷移する処理である。
【００５８】
逆向きの処理である、テレビ部電源ＯＦＦ３１６の処理は、電源ＯＮ３０３の状態から、ＳＷ＿Ｔ１２４からの信号、または予約管理手段１３２ｆが管理する時間情報に基づいて電源制御手段１３２ｅから出力される信号によって、テレビ部電源供給部１２１からの電源出力が「ＯＮ」から「ＯＦＦ」に制御されて、待機３０２の状態に遷移する処理である。
【００５９】
また装置電源ＯＦＦ３１４の処理は、電源ＯＮ３０３の状態から、ＳＷ＿Ｓ１２３からの信号、または予約管理手段１３２ｆが管理する時間情報に基づいて電源制御手段１３２ｅから出力される信号によって、サーバ部電源供給部１２０からの電源出力とテレビ部電源供給部１２１からの電源出力の両方が「ＯＮ」から「ＯＦＦ」に制御されて、電源ＯＦＦ３０１の状態に遷移する処理である。
【００６０】
さらにサーバ部電源ＯＦＦ３１２の処理は、待機３０２の状態から、ＳＷ＿Ｓ１２３からの信号、または予約管理手段１３２ｆが管理する時間情報に基づいて電源制御手段１３２ｅから出力される信号によって、サーバ部電源供給部１２０からの電源出力が「ＯＮ」から「ＯＦＦ」に制御されて、電源ＯＦＦ３０１の状態に遷移する処理である。
【００６１】
図４は、以上で説明した図１で示す構成のデジタルテレビ１０を、図２で示す構成のネットワークに接続したときに、図３で示すように特定の操作によって状態が遷移する様子を、時間経過と共に示すタイムチャート図である。
【００６２】
本第１の実施形態においては、操作ａ４１１や操作ｂ４１２、操作ｃ４１３、さらには操作ｄ４１４などが実行されることで、サーバ機能の動作状態を示すサーバ状態タイムチャート４０１や、テレビ機能の動作状態を示すテレビ状態タイムチャート４０２、さらには装置状態を示す装置状態タイムチャート４０３などそれぞれの状態は、実行された操作に応じて遷移する。
【００６３】
本第１の実施形態の詳細を、図４のタイムチャート図に従って以下に説明をする。
まず１７:００の時点では、サーバ状態タイムチャート４０１もテレビ状態タイムチャート４０２も「ＯＦＦ」の状態である。つまり装置状態タイムチャート４０３は図３で示す電源ＯＦＦ３０１の状態である。
【００６４】
１８：００の時点では、操作ａ４１１として、ＳＷ＿Ｓ１２３によってサーバ部電源ＯＮ３１１の処理が行われる。そしてサーバ状態タイムチャート４０１が「ＯＦＦ」から「ＯＮ」になり、装置状態タイムチャート４０３は、電源ＯＦＦ３０１から待機３０２の状態に遷移する。
【００６５】
次に２０：００の時点では、操作ｂ４１２として、ＳＷ＿Ｔ１２４によってテレビ部電源ＯＮ３１５の処理が行われる。そしてテレビ状態タイムチャート４０２が「ＯＦＦ」から「ＯＮ」になり、装置状態タイムチャート４０３は、待機３０２から電源ＯＮ３０３の状態に遷移する。
【００６６】
そして２２：００の時点では、操作ｃ４１３として、ＳＷ＿Ｔ１２４によってテレビ部電源ＯＦＦ３１６の処理が行われる。そしてテレビ状態タイムチャート４０２が「ＯＮ」から「ＯＦＦ」になり、装置状態タイムチャート４０３は、電源ＯＮ３０３から待機３０２の状態に遷移する。
【００６７】
さらに２３：００の時点では、操作ｄ４１４として、ＳＷ＿Ｓ１２３によってサーバ部電源ＯＦＦ３１２の処理が行われる。そしてサーバ状態タイムチャート４０１が「ＯＮ」から「ＯＦＦ」になり、装置状態タイムチャート４０３は、待機３０２から電源ＯＦＦ３０１の状態に遷移する。
【００６８】
すなわち、本第１の実施形態においては、ＳＷ＿Ｓ１２３によりサーバ部１５０の稼動が制御される。
従って、以上説明したように本第１の実施形態によれば、メディアサーバ装置としての機能を有するテレビ受像機であるデジタルテレビにおける、メディアサーバ装置へ供給する電源制御処理を行うことで、定常的にサーバ機能を必要とする時間帯では、テレビ機能が稼動していなくてもサーバ機能部を稼動させることができるので、サーバ装置として不要であるテレビ機能の電力消費を削減することができる。
【００６９】
（第２の実施形態）
次に、本実施形態に係わるメディアサーバ装置としての機能を有するテレビ受像機であるデジタルテレビにおける、本発明の特徴であるメディアサーバ装置へ供給する電源制御処理の第２の実施形態として、図１、図２、図３、図４を用いて説明する。
【００７０】
前述した実施形態と同様に、図４は、図１で示す構成のデジタルテレビ１０を、図２で示す構成のネットワークに接続したときに、図３で示すように特定の操作によって状態が遷移する様子を、時間経過と共に示すタイムチャート図である。
【００７１】
本第２の実施形態においては、操作ｂ４１２や操作ｃ４１３の操作内容と、それぞれの操作に応じた各部の状態の遷移と、サーバ状態タイムチャート４０１やテレビ状態タイムチャート４０２、装置状態タイムチャート４０３などの内容は、前述した実施形態と同じであるが、操作ａ４１１や操作ｄ４１４の操作内容は、前述した実施形態とは異なる。しかし前述した実施形態と同様に、それぞれの操作が実行されることで、それぞれの状態は、実行された操作に応じて遷移する。
【００７２】
また、定められた時間帯にサーバ機能部１５０を稼動するために、予約管理手段１３２ｆが管理する時間情報に基づいて電源制御手段１３２ｅから出力される信号によって、サーバ部電源供給部１２０からの電源出力を制御する構成である。
【００７３】
すなわち図４においては、１８：００から２３：００までの間に、サーバ部電源供給部１２０からの電源出力を「ＯＦＦ」から「ＯＮ」とする信号が電源制御手段１３２ｅから出力されるように、予約管理手段１３２ｆによって時間情報が管理されているので、その間、サーバ機能部１５０は稼動している。
【００７４】
本第２の実施形態の詳細を、図４のタイムチャート図に従って以下に説明をする。
まず１７:００の時点では、サーバ状態タイムチャート４０１もテレビ状態タイムチャート４０２も「ＯＦＦ」の状態である。つまり装置状態タイムチャート４０３は図３で示す電源ＯＦＦ３０１の状態である。
【００７５】
１８：００の時点では、操作ａ４１１として、予約管理手段１３２ｆによってサーバ部電源ＯＮ３１１の処理が行われる。そしてサーバ状態タイムチャート４０１が「ＯＦＦ」から「ＯＮ」になり、装置状態タイムチャート４０３は、電源ＯＦＦ３０１から待機３０２の状態に遷移する。
【００７６】
次に２０：００の時点では、操作ｂ４１２として、ＳＷ＿Ｔ１２４によってテレビ部電源ＯＮ３１５の処理が行われる。そしてテレビ状態タイムチャート４０２が「ＯＦＦ」から「ＯＮ」になり、装置状態タイムチャート４０３は、待機３０２から電源ＯＮ３０３の状態に遷移する。
【００７７】
そして２２：００の時点では、操作ｃ４１３として、ＳＷ＿Ｔ１２４によってテレビ部電源ＯＦＦ３１６の処理が行われる。そしてテレビ状態タイムチャート４０２が「ＯＮ」から「ＯＦＦ」になり、装置状態タイムチャート４０３は、電源ＯＮ３０３から待機３０２の状態に遷移する。
【００７８】
さらに２３：００の時点では、操作ｄ４１４として、予約管理手段１３２ｆによってサーバ部電源ＯＦＦ３１２の処理が行われる。そしてサーバ状態タイムチャート４０１が「ＯＮ」から「ＯＦＦ」になり、装置状態タイムチャート４０３は、待機３０２から電源ＯＦＦ３０１の状態に遷移する。
【００７９】
すなわち、本第２の実施形態においては、予約管理手段１３２ｆにより、サーバ部１５０の稼動が制御される。
従って、以上説明したように本第２の実施形態によれば、メディアサーバ装置としての機能を有するテレビ受像機であるデジタルテレビにおける、メディアサーバ装置へ供給する電源制御処理の予約時間を設定して自動的に行うことで、ユーザ操作に依らずにサーバ装置として不要であるテレビ機能の電力消費を削減することができる。
【００８０】
（第３の実施形態）
次に、本実施形態に係わるメディアサーバ装置としての機能を有するテレビ受像機であるデジタルテレビにおける、本発明の特徴であるメディアサーバ装置へ供給する電源制御処理の第３の実施形態として、図１、図２、図３、図５、図７を用いて説明する。
【００８１】
前述した実施形態と同様に、図５は、図１で示す構成のデジタルテレビ１０を、図２で示す構成のネットワークに接続したときに、図３で示すように特定の操作によって状態が遷移する様子を、時間経過と共に示すタイムチャート図である。
【００８２】
本第３の実施形態においては、操作ａ５１１や操作ｃ５１３、操作ｄ５１４、操作ｅ５１５などの操作内容と、それぞれの操作に応じた各部の状態の遷移と、テレビ状態タイムチャート５０２の内容は、前述した実施形態と同じであるが、操作ｂ５１２や操作ｆ５１６の操作内容は、前述した実施形態とは異なる。しかし前述した実施形態と同様に、それぞれの操作が実行されることで、それぞれの状態は実行された操作に応じて遷移する。
【００８３】
そして、定められた時間帯にサーバ機能部１５０を稼動するために、時間を計測する予約管理手段１３２ｆが管理する時間情報に基づいて電源制御手段１３２ｅから出力される信号や、ＳＷ＿Ｓ１２３からの信号に応じた電源制御手段１３２ｅからの信号によって、サーバ部電源供給部１２０からの電源出力を制御する構成である。さらに、予約管理手段１３２ｆやＳＷ＿Ｓ１２３によって、サーバ部電源供給部１２０からの電源出力を制御する構成だけでなく、ネットワークに接続されたクライアント装置の状態に応じて、サーバ部電源供給部１２０からの電源出力を制御する構成であり、これらの構成の詳細は後述する。
【００８４】
すなわち図５においては、１８：００から２３：００までの間は、予約管理手段１３２ｆやＳＷ＿Ｓ１２３によってサーバ部電源供給部１２０からの電源が出力されるので、その間サーバ機能部１５０は稼動し、さらに、２３：００から２４：００までの間は、クライアント確認手段１３２ｃによってクライアント装置の存在が確認されるので、その間もサーバ機能部１５０は稼動する。この動作の詳細は後述する。
【００８５】
図７は、本第３の実施形態において、図５のタイムチャート図を実行する処理であるサーバ稼動処理ａのフローチャートを示す図である。
本第３の実施形態の詳細を、図５のタイムチャート図と図７のフローチャートに従って以下に説明をする。
まず１７:００の時点では、サーバ状態タイムチャート５０１もテレビ状態タイムチャート５０２も「ＯＦＦ」の状態である。つまり装置状態タイムチャート５０４は図３で示す電源ＯＦＦ３０１の状態であり、さらにはクライアント状態タイムチャート５０３も「ＯＦＦ」の状態である。
【００８６】
１８：００の時点では、操作ａ５１１として、予約管理手段１３２ｆまたはＳＷ＿Ｓ１２３によってサーバ部電源ＯＮ３１１の処理が行われて、サーバ状態タイムチャート５０１が「ＯＦＦ」から「ＯＮ」になり、サーバ稼動機能部１５０が起動することを要求されている状態になる。そして、サーバ機能部１５０が起動（Ｓ７０１）し、サーバ機能部１５０は稼動を継続（Ｓ７０２）し、サーバ稼動機能部１５０が起動することを要求されている（Ｓ７０３のＹｅｓ）ので、サーバ状態タイムチャート５０１はその状態を継続する。従って、装置状態タイムチャート５０４は、電源ＯＦＦ３０１から待機３０２の状態に遷移する
【００８７】
次に１９：００の時点では、操作ｂ５１２として、クライアント装置が起動して稼動し始めて、クライアント状態タイムチャート５０３が「ＯＦＦ」から「ＯＮ」になる。そして、サーバ機能部１５０は稼動を継続（Ｓ７０２）していて、なおかつサーバ稼動機能部１５０が起動することを要求されている（Ｓ７０３のＹｅｓ）ので、サーバ状態タイムチャート５０１はその状態を継続する。従って、装置状態タイムチャート５０４は、待機３０２の状態のままである。
【００８８】
次に２０：００の時点では、操作ｃ５１３として、ＳＷ＿Ｔ１２４によってテレビ部電源ＯＮ３１５の処理が行われて、テレビ状態タイムチャート５０２が「ＯＦＦ」から「ＯＮ」になる。そして、なおもサーバ機能部１５０は稼動を継続（Ｓ７０２）していて、なおかつサーバ稼動機能部１５０が起動することを要求されている（Ｓ７０３のＹｅｓ）ので、サーバ状態タイムチャート５０１はその状態を継続する。従って、装置状態タイムチャート５０４は、待機３０２から電源ＯＮ３０３の状態に遷移する。
【００８９】
次に２２：００の時点では、操作ｄ５１４として、ＳＷ＿Ｔ１２４によってテレビ部電源ＯＦＦ３１６の処理が行われて、テレビ状態タイムチャート５０２が「ＯＮ」から「ＯＦＦ」になる。そして、なおもサーバ機能部１５０は稼動を継続（Ｓ７０２）していて、なおかつサーバ稼動機能部１５０が起動することを要求されている（Ｓ７０３のＹｅｓ）ので、サーバ状態タイムチャート５０１はその状態を継続する。従って、装置状態タイムチャート５０４は、電源ＯＮ３０３から待機３０２の状態に遷移する。
【００９０】
そして２３：００の時点では、操作ｅ５１５として、予約管理手段１３２ｆまたはＳＷ＿Ｓ１２３によってサーバ部電源供給部１２０からの電源供給を停止する要求がなされ、サーバ稼動機能部１５０が起動することを要求されていない状態になる。そして電源制御手段１３２ｅによってサーバ部電源ＯＦＦ３１２の処理が行われるはずであるが、本第３の実施形態においては、サーバ機能部１５０は稼動を継続したまま、サーバ稼動機能部１５０が起動することを要求されているかを判断する処理（Ｓ７０３）が行われる。
【００９１】
そしてこのとき、サーバ稼動機能部１５０が起動することを要求されていない（Ｓ７０３のＮｏ）状態で、なおかつテレビ部は稼動していない（Ｓ７０４のＮｏ）状態であるので、クライアント確認手段１３２ｃによるネットワークに接続されたクライアント装置の存在を確認する処理（Ｓ７０５）が行われる。
【００９２】
すなわち、サーバ機能部１５０は稼動を継続（Ｓ７０２）したまま、クライアント装置の存在を確認する処理（Ｓ７０５）が実行される。
このとき、クライアント状態タイムチャート５０３は「ＯＮ」であるので、クライアント装置は存在する（Ｓ７０５のＹｅｓ）と判断されるので、なおもサーバ機能部１５０の稼動を継続する処理（Ｓ７０２）が行われて、従って、サーバ状態タイムチャート５０１は「ＯＮ」の状態を継続して、装置状態タイムチャート５０４も待機３０２の状態を継続する。これ以降も上記の複数の処理が行われて、それぞれの状態を継続する。
【００９３】
さらに２４：００の時点では、操作ｆ５１６として、クライアント装置が稼動を停止して、クライアント状態タイムチャート５０３が「ＯＮ」から「ＯＦＦ」になる。そして２３：００以降、継続して行われている、サーバ稼動機能部１５０が起動することを要求されているかを判断する処理（Ｓ７０３）と、テレビ部が稼動しているかを確認する処理（Ｓ７０４）と、ネットワークに接続されたクライアント装置の存在を確認する処理（Ｓ７０５）とが行われる。
【００９４】
このときは、サーバ稼動機能部１５０が起動することを要求されていない（Ｓ７０３のＮｏ）と判断され、なおかつテレビ部は稼動していない（Ｓ７０４のＮｏ）と判断され、クライアント装置は存在しない（Ｓ７０５のＮｏ）と判断されるので、サーバ機能部１５０を停止する処理（Ｓ７０６）であるサーバ部電源ＯＦＦ３１２の処理が行われる。
【００９５】
そしてサーバ状態タイムチャート５０１が「ＯＮ」から「ＯＦＦ」になり、装置状態タイムチャート５０４は、待機３０２から電源ＯＦＦ３０１の状態に遷移する。
従って本第３の実施形態においては、２３：００には、サーバ状態タイムチャート５０１が「ＯＮ」を継続したまま、クライアント装置の存在を確認する処理（Ｓ７０５）が行われ、２３：００から２４：００の間には、クライアント装置の存在を確認する処理（Ｓ７０５）によりサーバ状態タイムチャート５０１が「ＯＮ」となる処理ａ５２１が行われる。
【００９６】
なお、予約管理手段１３２ｆによりサーバ装置１５０へ供給される電源を制御する場合には、ＳＷ＿Ｓ１２３が備えられていない形態でもよい。
すなわち、以上説明したように本第３の実施形態は、メディアサーバ装置としての機能を有するテレビ受像機であるデジタルテレビにおける、メディアサーバ装置へ供給する電源制御処理を、装置外部に設けられたスイッチにより手動で、または予約時間を設定して自動的に行うだけでなく、ネットワークに接続されたクライアント装置の状態に応じて、メディアサーバ装置へ供給する電源制御処理を行う。
【００９７】
（第４の実施形態）
次に、本実施形態に係わるメディアサーバ装置としての機能を有するテレビ受像機であるデジタルテレビにおける、本発明の特徴であるメディアサーバ装置へ供給する電源制御処理の第４の実施形態として、図１、図２、図３、図５、図８を用いて説明する。
【００９８】
前述した実施形態と同様に、図５は、図１で示す構成のデジタルテレビ１０を、図２で示す構成のネットワークに接続したときに、図３で示すように特定の操作によって状態が遷移する様子を、時間経過と共に示すタイムチャート図である。
【００９９】
本第４の実施形態においては、操作ｅ５１５の操作内容は前述した第３の実施形態とは異なるが、その他の複数の操作内容と、それぞれの操作に応じた各部の状態の遷移と、各部の状態タイムチャートの内容は、前述した第３の実施形態と同じであり、同様に、それぞれの複数の操作が実行されることで、それぞれの状態は実行された操作に応じて遷移する。
【０１００】
そして、定められた時間帯にサーバ機能部１５０を稼動するために、予約管理手段１３２ｆが管理する時間情報に基づいて電源制御手段１３２ｅから出力される信号や、ＳＷ＿Ｓ１２３からの信号に応じた電源制御手段１３２ｅからの信号によって、サーバ部電源供給部１２０からの電源出力を制御する構成である。さらに、予約管理手段１３２ｆやＳＷ＿Ｓ１２３によって、サーバ部電源供給部１２０からの電源出力を制御する構成だけでなく、ネットワークに接続されたクライアント装置の状態に応じて、サーバ部電源供給部１２０からの電源出力を制御する構成であり、これらの構成の詳細は後述する。
【０１０１】
図８は、本第４の実施形態において、図５のタイムチャート図を実行する処理であるサーバ稼動処理ｂのフローチャートを示す図である。
なお図８に示される一部の処理は、図７に示される一部の処理と同じ内容であるが異なる符号で定義されていて、図８においてサーバ機能部１５０を起動する処理Ｓ８０１は図７のＳ７０１と同じ処理であり、図８においてサーバ機能部１５０の稼動を継続する処理Ｓ８０２は図７のＳ７０２と同じ処理であり、図８においてサーバ稼動機能部１５０が起動することを要求されているかを判断する処理Ｓ８０３は図７のＳ７０３と同じ処理であり、図８においてテレビ部が稼動しているかを確認する処理Ｓ８０４は図７のＳ７０４と同じ処理である。
【０１０２】
本第４の実施形態の詳細を、図５のタイムチャート図と図８のフローチャートに従って以下に説明をする。
１７：００から２２：００までに行われる複数の操作と、それぞれの操作に応じた各部の状態の遷移と、各部の状態タイムチャートは、前述の第３の実施形態と同様であるので省略する。
【０１０３】
つまり２２：００に行われる操作によって、各部の状態は、サーバ状態タイムチャート５０１は「ＯＮ」、テレビ状態タイムチャート５０２は「ＯＦＦ」、クライアント状態タイムチャート５０３は「ＯＮ」、装置状態タイムチャート５０４は待機３０２、となっている。
【０１０４】
そして２３：００の時点では、操作ｅ５１５として、予約管理手段１３２ｆまたはＳＷ＿Ｓ１２３によってサーバ部電源供給部１２０からの電源供給を停止する要求がなされ、サーバ稼動機能部１５０が起動することを要求されていない状態になる。そして電源制御手段１３２ｅによってサーバ部電源ＯＦＦ３１２の処理が行われる時刻であるが、本第４の実施形態においては、サーバ機能部１５０は稼動を継続したまま、サーバ稼動機能部１５０が起動することを要求されているかを判断する処理（Ｓ８０３）が行われる。
【０１０５】
そしてこの時点では、要求されていない（Ｓ８０３のＮｏ）状態で、なおかつテレビ部は稼動していない（Ｓ８０４のＮｏ）状態であるので、サーバ機能部１５０を停止する処理（Ｓ８０５）であるサーバ部電源ＯＦＦ３１２の処理が行われる。
【０１０６】
しかし本第４の実施形態においては、上記の処理が行われた後、例えば１秒といった所定時間がタイマ手段１３２ｄにより計測されて、その計測された所定時間が経過した後に、サーバ機能部１５０を起動する処理（Ｓ８０６）であるサーバ部電源ＯＮ３１１の処理が行われる。さらに、サーバ機能部１５０の稼動を継続する処理（Ｓ８０７）が行われて、クライアント確認手段１３２ｃによるネットワークに接続されたクライアント装置の存在を確認する処理（Ｓ８０８）が行われる。
【０１０７】
すなわち、サーバ機能部１５０は一旦稼動を停止（Ｓ８０５）し、再度稼動を開始（Ｓ８０６）してから、クライアント装置の存在を確認する処理（Ｓ８０８）が実行される。
【０１０８】
このとき、クライアント状態タイムチャート５０３は「ＯＮ」であるので、クライアント装置は存在する（Ｓ８０８のＹｅｓ）と判断されるので、なおもサーバ機能部１５０の稼動を継続する処理（Ｓ８０７）が行われて、従って、サーバ状態タイムチャート５０１は「ＯＮ」の状態を継続して、装置状態タイムチャート５０４も待機３０２の状態を継続する。これ以降も上記の複数の処理が行われて、それぞれの状態を継続する。
【０１０９】
なおこの複数の処理だけでなく、サーバ機能部１５０の稼動を継続する処理（Ｓ８０７）とネットワークに接続されたクライアント装置の存在を確認する処理（Ｓ８０８）の間で、図示していないが、テレビ部が稼動しているかを確認する処理を行ってもよい。
【０１１０】
さらに２４：００の時点で行われる操作と、その操作に応じた各部の状態の遷移と、各部の状態タイムチャートは、前述の第３の実施形態と同様であるので省略する。
【０１１１】
従って本第４の実施形態においては、２３：００には、サーバ状態タイムチャート５０１が「ＯＮ」から「ＯＦＦ」となり、その後に再度「ＯＮ」となってからクライアント装置の存在を確認する処理（Ｓ８０８）が行われ、２３：００から２４：００の間には、クライアント装置の存在を確認する処理（Ｓ８０８）によりサーバ状態タイムチャート５０１が「ＯＮ」となる処理ａ５２１が行われる。
【０１１２】
なお、予約管理手段１３２ｆによりサーバ装置１５０へ供給される電源を制御する場合には、ＳＷ＿Ｓ１２３が備えられていない形態でもよい。
従って、以上説明したように、前述の第３の実施形態や本第４の実施形態によれば、メディアサーバ装置としての機能を有するテレビ受像機であるデジタルテレビにおける、メディアサーバ装置へ供給する電源制御処理を、装置外部に設けられたスイッチにより手動で、または予約時間を設定して自動的に行うことで、サーバ装置として不要であるテレビ機能の電力消費を削減することができ、さらには、ネットワークに接続されたクライアント装置の状態に応じて、メディアサーバ装置へ供給する電源制御処理を行うことで、クライアント装置の状態に関連付けて、ユーザ操作に依らずにサーバ装置の電源を制御することができるので、ユーザにとっての利便性を保ったまま、サーバ装置として不要であるテレビ機能の電力消費を削減することができる。
【０１１３】
（第５の実施形態）
次に、本実施形態に係わるメディアサーバ装置としての機能を有するテレビ受像機であるデジタルテレビにおける、本発明の特徴であるメディアサーバ装置へ供給する電源制御処理の第３の実施形態として、図１、図２、図３、図６、図９を用いて説明する。
【０１１４】
前述した実施形態と同様に、図６は、図１で示す構成のデジタルテレビ１０を、図２で示す構成のネットワークに接続したときに、図３で示すように特定の操作によって状態が遷移する様子を、時間経過と共に示すタイムチャート図である。
【０１１５】
本第５の実施形態においては、テレビ状態タイムチャート６０２の内容は、前述した実施形態と同じであるが、前述した実施形態と同様に、それぞれの複数の操作が実行されることで、それぞれの状態は実行された操作に応じて遷移する。
【０１１６】
そして、定められた時間帯にサーバ機能部１５０を稼動するために、予約管理手段１３２ｆが管理する時間情報に基づいて電源制御手段１３２ｅから出力される信号や、ＳＷ＿Ｓ１２３からの信号に応じた電源制御手段１３２ｅからの信号による、サーバ部電源供給部１２０からの電源出力の制御よりも、ネットワークに接続されたクライアント装置の状態に応じた、サーバ部電源供給部１２０からの電源出力の制御が優先される構成であり、その構成の詳細は後述する。
【０１１７】
すなわち図６においては、１８：００から２３：００までの間は、予約管理手段１３２ｆやＳＷ＿Ｓ１２３によるサーバ部電源供給部１２０からの電源出力の制御よりも、ネットワークに接続されたクライアント装置の状態に応じたサーバ部電源供給部１２０からの電源出力の制御が優先される構成であり、つまりサーバ機能部１５０は、クライアント装置が「ＯＮ」の状態である時間には稼動して、クライアント装置が「ＯＦＦ」の状態である時間には稼動しない。
【０１１８】
図９は、本第５の実施形態において、図６のタイムチャート図を実行する処理であるサーバ稼動処理ａのフローチャートを示す図である。
本第５の実施形態の詳細を、図６のタイムチャート図と図９のフローチャートに従って以下に説明をする。
まず１７:００の時点では、サーバ状態タイムチャート６０１もテレビ状態タイムチャート６０２も「ＯＦＦ」の状態である。つまり装置状態タイムチャート６０４は図３で示す電源ＯＦＦ３０１の状態であり、さらにはクライアント状態タイムチャート６０３も「ＯＦＦ」の状態である。
【０１１９】
１８：００の時点では、操作ａ６１１として、予約管理手段１３２ｆまたはＳＷ＿Ｓ１２３によって、サーバ部電源ＯＮ３１１の処理が行われて、サーバ状態タイムチャート６０１が「ＯＦＦ」から「ＯＮ」の状態になるはずであるが、まずはサーバ機能部１５０が起動（Ｓ９０１）して、操作ａ６１１により、サーバ稼動機能部１５０が起動することを要求されている状態になる。
【０１２０】
さらに、サーバ機能部１５０の稼動を継続する処理（Ｓ９０２）が行われて、処理ＭＯＤＥを選択する処理（Ｓ９０３）に移行する。
処理ＭＯＤＥを選択する処理（Ｓ９０３）においてＭＯＤＥａが選択された場合は、テレビ部が稼動しているかを確認する処理（Ｓ９０４）が行われて、このときテレビ状態タイムチャート６０２は「ＯＦＦ」であるので、テレビ部が稼動しているかを確認する処理（Ｓ９０４）において、テレビ部は稼動していない（Ｓ９０４のＮｏ）と判断され、クライアント確認手段１３２ｃによる、ネットワークに接続されたクライアント装置の存在を確認する処理（Ｓ９０５）が行われる。また処理ＭＯＤＥを選択する処理（Ｓ９０３）において、ＭＯＤＥｂが選択された場合は、ネットワークに接続されたクライアント装置の存在を確認する処理（Ｓ９０５）が行われる。
【０１２１】
つまり、処理ＭＯＤＥを選択する処理（Ｓ９０３）において、どちらのＭＯＤＥを選択しても、テレビ状態タイムチャート６０２は「ＯＦＦ」であれば、ネットワークに接続されたクライアント装置の存在を確認する処理（Ｓ９０５）が行われる。
【０１２２】
そしてこのとき、クライアント状態タイムチャート６０３は「ＯＦＦ」であるので、ネットワークに接続されたクライアント装置の存在を確認する処理（Ｓ９０５）において、クライアント装置は存在しない（Ｓ９０５のＮｏ）と判断され、サーバ部電源供給部１２０からの電源出力を「ＯＮ」から「ＯＦＦ」とする信号が電源制御手段１３２ｅから出力されて、サーバ機能部１５０を停止する処理（Ｓ９０６）が行われる。この処理はつまり、図３におけるサーバ部電源ＯＦＦ３１２の処理である。
【０１２３】
さらに、サーバ稼動機能部１５０が起動することを要求されているかを判断する処理（Ｓ９０７）が行われるが、上記で説明したように、起動を要求されている（Ｓ９０７のＹｅｓ）状態であるので、本第５の実施形態においては、上記の処理が行われた後、例えば３分といった所定時間がタイマ手段１３２ｄにより計測されて、その計測された所定時間が経過した後に、サーバ機能部１５０起動する処理（Ｓ９０１）であるサーバ部電源ＯＮ３１１の処理が行われる。そしてこれ以降も前述した複数の処理が繰り返し行われる。
【０１２４】
すなわち、サーバ稼動機能部１５０が起動することを要求されているかを判断する処理（Ｓ９０７）から、サーバ機能部１５０を再起動する処理（Ｓ９０１）が行われるまで時間は、サーバ機能部１５０は停止しているので、この時点では、サーバ状態タイムチャート６０１が「ＯＦＦ」の状態として、従ってそのとき装置状態タイムチャート６０４も電源ＯＦＦ３０１の状態となる。
【０１２５】
次に１９：００の時点では、操作ｂ６１２として、クライアント装置が起動して稼動し始めて、クライアント状態タイムチャート６０３が「ＯＦＦ」から「ＯＮ」になる。さらに１８：００以降に行われている、サーバ機能部１５０を起動する処理（Ｓ９０１）と、サーバ機能部１５０の稼動を継続する処理（Ｓ９０２）と、処理ＭＯＤＥを選択する処理（Ｓ９０３）と、ＭＯＤＥａが選択された場合にはテレビ部が稼動しているかを確認する処理（Ｓ９０４）と、ネットワークに接続されたクライアント装置の存在を確認する処理（Ｓ９０５）とが継続して行われる。
【０１２６】
そしてこのとき、なおもテレビ状態タイムチャート６０２は「ＯＦＦ」であるので、処理ＭＯＤＥを選択する処理（Ｓ９０３）において、ＭＯＤＥａとＭＯＤＥｂのどちらのＭＯＤＥを選択しても、テレビ部が稼動しているかを確認する処理（Ｓ９０４）において、テレビ部は稼動していない（Ｓ９０４のＮｏ）と判断され、ネットワークに接続されたクライアント装置の存在を確認する処理（Ｓ９０５）が行われる。
【０１２７】
さらにこのとき、クライアント状態タイムチャート６０３は「ＯＮ」であるので、ネットワークに接続されたクライアント装置の存在を確認する処理（Ｓ９０５）において、クライアント装置は存在する（Ｓ９０５のＹｅｓ）と判断され、サーバ機能部１５０の稼動を継続する処理（Ｓ９０２）に移行する。そしてこれ以降も上記の複数の処理が繰り返し行われる。
【０１２８】
従って、サーバ機能部１５０は稼動を継続するので、サーバ状態タイムチャート６０１は「ＯＦＦ」から「ＯＮ」の状態になり、装置状態タイムチャート６０４は、電源ＯＦＦ３０１から待機３０２の状態に遷移する。
【０１２９】
次に２０：００の時点では、操作ｃ６１３として、ＳＷ＿Ｔ１２４によってテレビ部電源ＯＮ３１５の処理が行われて、テレビ状態タイムチャート６０２が「ＯＦＦ」から「ＯＮ」になる。さらに１９：００以降は、サーバ機能部１５０の稼動を継続する処理（Ｓ９０２）と、処理ＭＯＤＥを選択する処理（Ｓ９０３）と、ＭＯＤＥａが選択された場合にはテレビ部が稼動しているかを確認する処理（Ｓ９０４）と、ネットワークに接続されたクライアント装置の存在を確認する処理（Ｓ９０５）と、が行われている。
【０１３０】
そして処理ＭＯＤＥを選択する処理（Ｓ９０３）において、ＭＯＤＥａを選択した場合には、このときテレビ状態タイムチャート６０２が「ＯＮ」であるので、テレビ部が稼動しているかを確認する処理（Ｓ９０４）において、テレビ部は稼動している（Ｓ９０４のＹｅｓ）と判断されて、サーバ機能部１５０の稼動を継続する処理（Ｓ９０２）に移行する。
【０１３１】
つまりＭＯＤＥａが選択された場合には、これ以降は、ネットワークに接続されたクライアント装置の存在を確認する処理（Ｓ９０５）は行われなくなる。
また処理ＭＯＤＥを選択する処理（Ｓ９０３）において、ＭＯＤＥｂを選択した場合には、サーバ機能部１５０の稼動を継続する処理（Ｓ９０２）と、処理ＭＯＤＥを選択する処理（Ｓ９０３）と、ネットワークに接続されたクライアント装置の存在を確認する処理（Ｓ９０５）と、が行われるが、このときクライアント状態タイムチャート６０３は「ＯＮ」であるので、ネットワークに接続されたクライアント装置の存在を確認する処理（Ｓ９０５）において、クライアント装置は存在する（Ｓ９０５のＹｅｓ）と判断され、サーバ機能部１５０の稼動を継続する処理（Ｓ９０２）に移行する。
【０１３２】
つまりＭＯＤＥｂが選択された場合には、これ以降は、サーバ機能部１５０の稼動を継続する処理（Ｓ９０２）と、処理ＭＯＤＥを選択する処理（Ｓ９０３）と、ネットワークに接続されたクライアント装置の存在を確認する処理（Ｓ９０５）とが行われる。
【０１３３】
つまり、ＭＯＤＥｂが選択されたときのみ、ネットワークに接続されたクライアント装置の存在を確認する処理（Ｓ９０５）が行われるが、ＭＯＤＥａとＭＯＤＥｂのどちらのＭＯＤＥが選択されても、サーバ機能部１５０は稼動を継続する処理（Ｓ９０２）は行われる。
【０１３４】
すなわち、本第５の実施形態においては、ＭＯＤＥａが選択された場合は、テレビ部が稼動しているのでサーバ機能部１５０が稼動を継続して、ＭＯＤＥｂが選択された場合は、クライアント装置が存在するのでサーバ機能部１５０が稼動を継続する。
【０１３５】
従って、サーバ状態タイムチャート６０１は「ＯＮ」の状態を継続し、装置状態タイムチャート６０４は、待機３０２から電源ＯＮ３０３の状態に遷移する。これ以降も上記の複数の処理が行われて、それぞれの状態を継続する。
【０１３６】
次に２２：００の時点では、操作ｄ６１４として、ＳＷ＿Ｔ１２４によってテレビ部電源ＯＦＦ３１６の処理が行われて、テレビ状態タイムチャート６０２が「ＯＮ」から「ＯＦＦ」になる。さらに処理ＭＯＤＥを選択する処理（Ｓ９０３）において、ＭＯＤＥａを選択した場合には、２０:００以降は、サーバ機能部１５０の稼動を継続する処理（Ｓ９０２）と、処理ＭＯＤＥを選択する処理（Ｓ９０３）と、テレビ部が稼動しているかを確認する処理（Ｓ９０４）とが行われている。
【０１３７】
そしてこのとき、テレビ状態タイムチャート６０２が「ＯＦＦ」であるので、テレビ部が稼動しているかを確認する処理（Ｓ９０４）において、テレビ部は稼動していない（Ｓ９０４のＮｏ）と判断されて、ネットワークに接続されたクライアント装置の存在を確認する処理（Ｓ９０５）が行われる。
【０１３８】
また処理ＭＯＤＥを選択する処理（Ｓ９０３）において、ＭＯＤＥｂを選択した場合には、１９:００以降は、サーバ機能部１５０の稼動を継続する処理（Ｓ９０２）と、処理ＭＯＤＥを選択する処理（Ｓ９０３）と、ネットワークに接続されたクライアント装置の存在を確認する処理（Ｓ９０５）と、が行われている。
【０１３９】
つまり、処理ＭＯＤＥを選択する処理（Ｓ９０３）において、ＭＯＤＥａとＭＯＤＥｂのどちらのＭＯＤＥを選択しても、ネットワークに接続されたクライアント装置の存在を確認する処理（Ｓ９０５）が行われる。
【０１４０】
そしてこのとき、なおもクライアント状態タイムチャート６０３は「ＯＮ」であるので、ネットワークに接続されたクライアント装置の存在を確認する処理（Ｓ９０５）において、クライアント装置は存在する（Ｓ９０５のＹｅｓ）と判断され、サーバ機能部１５０の稼動を継続する処理（Ｓ９０２）に移行する。
【０１４１】
つまり以降は、サーバ機能部１５０の稼動を継続する処理（Ｓ９０２）と、処理ＭＯＤＥを選択する処理（Ｓ９０３）と、ＭＯＤＥａが選択された場合にはテレビ部が稼動しているかを確認する処理（Ｓ９０４）と、ネットワークに接続されたクライアント装置の存在を確認する処理（Ｓ９０５）とが行われる。
【０１４２】
従って、サーバ状態タイムチャート６０１は「ＯＮ」の状態を継続し、装置状態タイムチャート６０４は、電源ＯＮ３０３から待機３０２の状態に遷移する。これ以降も上記の複数の処理が行われて、それぞれの状態を継続する。
【０１４３】
そして２３：００の時点では、操作ｅ６１５として、予約管理手段１３２ｆまたはＳＷ＿Ｓ１２３によってサーバ部電源供給部１２０からの電源供給を停止する要求がなされ、サーバ稼動機能部１５０が起動することを要求されていない状態になる。そして電源制御手段１３２ｅによってサーバ部電源ＯＦＦ３１２の処理が行われるはずであるが、本第５の実施形態においては、２２:００以降に継続して行われている、サーバ機能部１５０の稼動を継続する処理（Ｓ９０２）と、処理ＭＯＤＥを選択する処理（Ｓ９０３）と、ＭＯＤＥａが選択された場合にはテレビ部が稼動しているかを確認する処理（Ｓ９０４）と、ネットワークに接続されたクライアント装置の存在を確認する処理（Ｓ９０５）とが優先して行われる。
【０１４４】
また操作ｅ６１５によって、サーバ稼動機能部１５０が起動することを要求されていない状態になる。
そしてこのとき、テレビ状態タイムチャート６０２が「ＯＦＦ」であるので、テレビ部が稼動しているかを確認する処理（Ｓ９０４）において、テレビ部は稼動していない（Ｓ９０４のＮｏ）状態であると判断され、処理ＭＯＤＥを選択する処理（Ｓ９０３）において、ＭＯＤＥａを選択した場合においても、ネットワークに接続されたクライアント装置の存在を確認する処理（Ｓ９０５）が行われる。
【０１４５】
つまり、処理ＭＯＤＥを選択する処理（Ｓ９０３）において、どちらのＭＯＤＥを選択しても、ネットワークに接続されたクライアント装置の存在を確認する処理（Ｓ９０５）が行われる。
【０１４６】
そしてこのとき、クライアント状態タイムチャート６０３は「ＯＮ」であるので、ネットワークに接続されたクライアント装置の存在を確認する処理（Ｓ９０５）において、クライアント装置は存在する（Ｓ９０５のＹｅｓ）と判断され、なおもサーバ機能部１５０の稼動を継続する処理（Ｓ９０２）が行われる。そしてこれ以降も上記の複数の処理が行われて、それぞれの状態を継続する。
【０１４７】
従って、サーバ状態タイムチャート６０１は「ＯＮ」の状態を継続して、装置状態タイムチャート６０４も待機３０２の状態を継続する。
さらに２４：００の時点では、操作ｆ６１６として、クライアント装置が稼動を停止し、クライアント状態タイムチャート６０３が「ＯＮ」から「ＯＦＦ」になる。そして２２：００以降、行われている、サーバ機能部１５０の稼動を継続する処理（Ｓ９０２）と、処理ＭＯＤＥを選択する処理（Ｓ９０３）と、ＭＯＤＥａが選択された場合にはテレビ部が稼動しているかを確認する処理（Ｓ９０４）と、ネットワークに接続されたクライアント装置の存在を確認する処理（Ｓ９０５）とが継続して行われる。
【０１４８】
そしてこの時点では、テレビ状態タイムチャート６０２が「ＯＦＦ」であるので、処理ＭＯＤＥを選択する処理（Ｓ９０３）において、ＭＯＤＥａを選択した場合においても、テレビ部が稼動しているかを確認する処理（Ｓ９０４）において、テレビ部は稼動していない（Ｓ９０４のＮｏ）と判断されて、ネットワークに接続されたクライアント装置の存在を確認する処理（Ｓ９０５）が行われる。
【０１４９】
つまり、処理ＭＯＤＥを選択する処理（Ｓ９０３）において、どちらのＭＯＤＥを選択しても、ネットワークに接続されたクライアント装置の存在を確認する処理（Ｓ９０５）が行われる。
【０１５０】
そしてこのときは、クライアント状態タイムチャート６０３は「ＯＦＦ」であるので、ネットワークに接続されたクライアント装置の存在を確認する処理（Ｓ９０５）において、クライアント装置は存在しない（Ｓ９０５のＮｏ）と判断され、サーバ機能部１５０を停止する処理（Ｓ９０６）であるサーバ部電源ＯＦＦ３１２の処理が行われる。
【０１５１】
さらに、サーバ稼動機能部１５０が起動することを要求されているかを判断する処理（Ｓ９０７）が行われるが、２３：００の時点で、操作ｅ６１５によって要求されていない状態（Ｓ９０７のＮｏ）になっているので、サーバ機能部１５０を停止する処理（Ｓ９０８）であるサーバ部電源ＯＦＦ３１２の処理が行われる。
【０１５２】
そして、サーバ状態タイムチャート６０１が「ＯＮ」から「ＯＦＦ」になり、装置状態タイムチャート６０４は、待機３０２から電源ＯＦＦ３０１の状態に遷移する。
【０１５３】
従って本第５の実施形態においては、１８：００から１９：００の間には、クライアント装置の存在を確認する処理（Ｓ９０５）によりサーバ状態タイムチャート６０１が「ＯＦＦ」となる処理ａ６２１が行われ、１９：００から２０：００の間には、クライアント装置の存在を確認する処理（Ｓ９０５）によりサーバ状態タイムチャート６０１が「ＯＮ」となる処理ｂ６２２が行われ、同様に２２：００から２４：００の間にも、クライアント装置の存在を確認する処理（Ｓ９０５）によりサーバ状態タイムチャート６０１が「ＯＮ」となる処理ｄ６２４が行われる。
【０１５４】
さらに、２０：００から２２：００の間で行われる処理ｃ６２３は、処理ＭＯＤＥを選択する処理（Ｓ９０３）でＭＯＤＥａが選択された場合には、テレビ部が稼動しているかを確認する処理（Ｓ９０４）によりサーバ状態タイムチャート６０１が「ＯＮ」となる処理で、ＭＯＤＥｂが選択された場合には、クライアント装置の存在を確認する処理（Ｓ９０５）によりサーバ状態タイムチャート６０１が「ＯＮ」となる処理となる。
【０１５５】
なお、予約管理手段１３２ｆによりサーバ装置１５０へ供給される電源を制御する場合には、ＳＷ＿Ｓ１２３が備えられていない形態でもよい。
従って、以上説明したように、前述の第５の実施形態によれば、メディアサーバ装置としての機能を有するテレビ受像機であるデジタルテレビにおける、メディアサーバ装置へ供給する電源制御処理を、特定の時間内に、ネットワークに接続されたクライアント装置の状態に応じて行うことで、クライアント装置の状態に関連付けて、ユーザ操作に依らずにサーバ装置の電源を制御することができるので、ユーザにとっての利便性を保ったまま、サーバ装置として不要であるテレビ機能の電力消費を削減することができる。
【０１５６】
なお本発明は、上述した実施形態に限定されるものではなく、本発明の要旨を変えない範囲において、種々の変更、改変等が可能である。
【図面の簡単な説明】
【０１５７】
【図１】本発明の一実施形態を示す、メディアサーバ装置としての機能を有するテレビ受像機であるデジタルテレビの主要な構成要素を示す構成図。
【図２】本発明の一実施形態を示す、デジタルテレビをネットワークを介して外部装置と接続した状態を示す構成図。
【図３】本発明の一実施形態を示す、デジタルテレビに供給される電源が制御された際の装置の状態遷移図。
【図４】本発明の一実施形態を示す、デジタルテレビをネットワークに接続したときに、特定の操作によって状態が遷移する様子を時間経過と共に示すタイムチャート図。
【図５】本発明の一実施形態を示す、デジタルテレビをネットワークに接続したときに、特定の操作によって状態が遷移する様子を時間経過と共に示すタイムチャート図。
【図６】本発明の一実施形態を示す、デジタルテレビをネットワークに接続したときに、特定の操作によって状態が遷移する様子を時間経過と共に示すタイムチャート図。
【図７】本発明の一実施形態を示す、サーバ稼動処理ａのフローチャートを示す図。
【図８】本発明の一実施形態を示す、サーバ稼動処理ｂのフローチャートを示す図。
【図９】本発明の一実施形態を示す、サーバ稼動処理ｃのフローチャートを示す図。
【符号の説明】
【０１５８】
１１８…ネットワークＩ／Ｆ部、１２０…サーバ部電源供給部、１２１…テレビ部電源供給部、１２３…ＳＷ＿Ｓ、１２４…ＳＷ＿Ｔ、１３２ｃ…クライアント確認手段、１３２ｄ…タイマ手段、１３２ｅ…電源制御手段、１３２ｆ…予約管理手段。
【図１】
2010087920.tif 000003
【図２】
2010087920.tif 000004
【図３】
2010087920.tif 000005
【図４】
2010087920.tif 000006
【図５】
2010087920.tif 000007
【図６】
2010087920.tif 000008
【図７】
2010087920.tif 000009
【図８】
2010087920.tif 000010
【図９】
2010087920.tif 000011